(57)【特許請求の範囲】
【請求項１】
規定された夾角を有し、支持部材表面を有する一対の同一平面内の非平行支持部材に取り付けるためのエクササイズバー取り付け具を提供することを含む方法であって、
前記エクササイズバー取り付け具には、
ブラケット離隔距離で離隔された一対のブラケットと、
一対のグリップと、
が備わっており、
各ブラケットは、ブラケット間に置かれる水平バーにヒンジによって回転自在に取り付けられ、
前記支持部材の一つの上に取り付け可能なように構成され、
前記一対のブラケットの各ブラケットには、一対の対向表面、及び対向表面をつなぐ一つのブラケットの表面によって表される開口部があり、前記二つのブラケットの表面は互いの方向に向き合い、ブラケットの夾角を表し、
前記一対のグリップは、
前記支持部材の各々の支持部材表面が前記対向表面及び前記ブラケットの内一つのブラケットの表面に隣接し、かつ、前記対向表面及び前記ブラケットの内一つのブラケットの表面から離隔するように、前記支持部材がブラケット離隔距離内の距離で離隔された位置で前記ブラケットを前記支持部材の各々の外側に隣接させ、その上に位置するように位置調整を行い、
前記ブラケットの夾角が前記支持部材の夾角とほぼ同等となるように前記ブラケットの各々を単独で回転させ、
前記エクササイズバー取り付け具の使用により前記支持部材上でユーザーの体重を支えることができるように、前記ブラケットを移動して、前記支持部材に前記ブラケットを着脱可能に係合させること、
を特徴とする方法。
【請求項２】
前記位置調整には前記各支持部材を前記各ブラケットの前記開口部内に位置させることが含まれることを特徴とする、請求項１に記載の方法。
【請求項３】
前記支持部材には突起部があり、前記突起部間の距離はほぼ離隔距離であり、前記移動には、各ブラケットが、係合される前記支持部材の前記突起部に接触するよう、前記一対のブラケットの各ブラケットを前記突起部の一つの位置まで低くすることが含まれることを特徴とする、請求項２に記載の方法。
【請求項４】
前記支持部材は、約４３〜約６５度の夾角であることを特徴とする、請求項１に記載の方法。
【請求項５】
前記ブラケットが前記支持部材に係合される際、前記一対のグリップが前記支持部材に対し垂直に伸びることを特徴とする、請求項１に記載の方法。
【請求項６】
規定された夾角を有し、支持部材表面を有する一対の同一平面内の非平行支持部材上に取り付けるためのエクササイズバー取り付け具であって、
前記エクササイズバー取り付け具は、
両端に一対のヒンジが配置された水平バーと、
一対のブラケットと、
前記水平バーに取り付けられる一対のグリップとを備え、
前記一対のブラケットの各ブラケットは、前記水平バーにヒンジによって回転自在に取り付けられ、前記一対の支持部材の内の一つの上に取り付けられるように構成され、
前記一対のブラケットの各々には一対の対向表面、及び対向表面をつなぐ一つのブラケットの表面によって表される開口部があり、前記二つのブラケットの表面は互いの方向に向き合い、ブラケットの夾角を表し、
前記ブラケットの表面の各々は、前記ブラケットの夾角が前記支持部材の夾角とほぼ同等になるように前記水平バーに対して単独で回転する
ことを特徴とする、エクササイズバー取り付け具。
【請求項７】
前記一対のグリップは一対の平行バーであって、前記ブラケットが前記支持部材に係合される際、前記一対の平行バーは前記支持部材に垂直に伸びることを特徴とする、請求項６に記載のエクササイズバー取り付け具。
【請求項８】
前記支持部材の夾角は約４３〜約６５度であることを特徴とする、請求項６に記載のエクササイズバー取り付け具。
【請求項９】
前記各支持部材には突起部があり、前記一対のブラケットの各ブラケットには前記突起部を係合するための切り込みがあることを特徴とする、請求項６に記載のエクササイズバー取り付け具。
【請求項１０】
規定された夾角を有し、支持部材表面を有する一対の同一平面内の非平行支持部材と、
両端に一対のヒンジが配置された水平バーと、
一対のブラケットと、
前記水平バーに取り付けられた一対のグリップと、
を備えたエクササイズバーシステムであって、
前記一対のブラケットの各ブラケットは、前記水平バーにヒンジによって回転自在に取り付けられ、前記一対の支持部材の内の一つの上に取り付けられるように構成され、
前記各ブラケットの各々には一対の対向表面、及び対向表面をつなぐ一つのブラケットの表面によって表される開口部があり、前記二つのブラケットの表面は互いの方向に向き合い、ブラケットの夾角を表し、
前記ブラケットの夾角が前記支持部材の夾角とほぼ同等となるよう、各ブラケットの表面は前記水平バーに対して単独で回転できる
ことを特徴とする、エクササイズバーシステム。
【請求項１１】
前記一対のグリップは一対の平行バーであって、前記ブラケットが前記支持部材に係合される際、前記一対の平行バーは前記支持部材に垂直に伸びることを特徴とする、請求項１０に記載のエクササイズバーシステム。
【請求項１２】
前記支持部材の夾角は約４３〜約６５度であることを特徴とする、請求項１０に記載のエクササイズバーシステム。
【請求項１３】
前記各支持部材には突起部があり、前記一対のブラケットの各ブラケットには突起部を係合するための切り込みがあることを特徴とする、請求項１０に記載のエクササイズバーシステム。
【請求項１４】
前記支持部材は壁に取り付けられていることを特徴とする、請求項１０に記載のエクササイズバーシステム。
【請求項１５】
前記支持部材はフレームの一部であることを特徴とする、請求項１０に記載のエクササイズバーシステム。
【発明の詳細な説明】
【技術分野】
【０００１】
本出願は、一般に運動器具に関し、特にフレーム又は構造物に着脱可能に取り付けられるエクササイズバーを備えた装置に関する。
【背景技術】
【０００２】
ジムは一般に多くの運動のために使用され、それらの運動にはそれぞれ異なる器具及び/又は器具の構造が必要となる場合がある。運動スペースの有効的活用のため、ユーザーは器具の形状を変更するか、利用可能な器具で運動しなければならない。
【０００３】
器具の形状変更が可能な装置はいくつか存在するが、器具の設置、組立て、運動スペースの再構成は一般的に簡単ではない。具体的には、懸垂やディップステーションのためのバーをユーザーが素早く且つ簡単に追加又は構成することを可能にする頑丈な器具は今のところ入手できない。
【発明の概要】
【０００４】
本発明は、例えばＡ-フレームといった角度のある支持部材、又はバーを支持することが可能な同様に角度のある部材への着脱が容易に行えるエクササイズバーを提供することにより先行技術の欠点を克服する。
【０００５】
ある実施形態では、エクササイズバー取り付け具を一対の同一平面内の非平行部材に備え付ける方法が提供されており、前記取り付け具には離隔距離で離隔された一対のブラケットが備わっており、前記ブラケットはブラケット間に置かれる部材の上に取り付けるように構成されている。前記方法は、前記部材が離隔距離以内の距離で離隔された位置で、前記一対のブラケットを前記部材のうちどちらか一方の部材に隣接させ、その上に位置するように位置調整を行うこと、また、エクササイズバー取り付け具の使用により前記部材上でユーザーの体重を支えることができるようにブラケットを動かして前記部材に着脱可能に係合させることを含む。
【０００６】
ある別の実施形態では、夾角を有する一対の同一平面内の非平行支持部材上に設置するためのエクササイズバー取り付け具が提供されている。前記エクササイズバー取り付け具は離隔距離で離隔された一対のブラケットを備え、前記一対のブラケットの各ブラケットには、一対の対向表面、及び対向表面をつなぐ一つの表面を持つ開口部があり、前記一対のブラケットの前記対向表面は互いの方向に向き合い、前記支持部材とほぼ同等の夾角を有する。また前記エクササイズバー取り付け具は一対のグリップを備える。
【０００７】
別の実施形態では、エクササイズバー取り付けシステムが提供されている。前記システムは夾角を有する一対の同一平面内の非平行支持部材、及びエクササイズバー取り付け具を含む。前記エクササイズバー取り付け具は離隔距離で離隔された一対のブラケットを備え、前記一対のブラケットの各ブラケットには、一対の対向表面、及び対向表面をつなぐ一つの表面を持つ開口部があり、前記一対のブラケットの前記対向表面は互いの方向に向き合い、前記支持部材とほぼ同等の夾角を有する。また前記エクササイズバー取り付け具は一対のグリップを備える。
【０００８】
ある実施形態では、前記エクササイズバー取り付け具を取り付けるためのブラケットは、前記エクササイズバー取り付け具に固定して取り付けられており、またある別の実施形態では、前記エクササイズバー取り付け具を取り付けるためのブラケットは、前記エクササイズバー取り付け具に回転自在に取り付けられている。
【０００９】
上記特徴は以下の詳細な説明から当業者に明らかになるであろう様々な補助的提供物及び特徴と共に、本発明のエクササイズバー取り付け装置及びその取り付け方法、ほんの一例として以下の添付図面を参照して示された好ましい実施形態によって得ることができる。
【図面の簡単な説明】
【００１０】
【図１】フレーム上に配置された第１の実施形態のエクササイズバー取り付け具の斜視図である。
【図２Ａ−２Ｂ−２Ｃ】フレーム部材の様々な実施形態の２−２断面図であり、図２Ａの部材は正方形の横断面図、図２Ｂの部材は長方形の横断面図、図２Ｃの部材は円形の横断面図を表している。
【図３−８】第２の実施形態のエクササイズバー取り付け具を示す図である。図３は上正面の斜視図、図４は図３の４−４正面図、図５は図４の５−５上面図、図６は図４の６−６側面図、図７は図３の７−７背面図、図８は図４の８−８底面図を表している。
【図９】第３の実施形態のエクササイズバー取り付け具の斜視図である。
【図１０Ａ−１０Ｆ】エクササイズバー取り付け具の前記フレーム部材への取り付けを図解したものである。図１０Ａ及び１０Ｂはユーザーが前記フレームに向かってエクササイズバー取り付け具を近づけている様子を表しており、図１０Ｃ、１０Ｄ及び１０Ｅはユーザーが上記取り付け具を前記フレームに係合させている様子を表しており、また図１０Ｆはユーザーが上記取り付け具を前記フレームに固定している様子を表している。
【図１１Ａ】フレーム部材に取り付けられた第１の代替実施形態のエクササイズバー取り付け具を図示する斜視図である。
【図１１Ｂ】図１１Ａのエクササイズバー取り付け具の詳細を示す斜視図である。
【図１２】第２の代替実施形態のエクササイズバー取り付け具の斜視図である。
【図１３】図１２の１３−１３断面図である。
【図１４Ａ−１４Ｂ】図１２のエクササイズバー取り付け具の正面図であり、図１４Ａは第１の対の部材に取り付けられた状態、図１４Ｂは第２の対の部材に取り付けられた状態を示している。
【００１１】
本書に記載された構成部品、態様又は特徴などを示す２以上の図に共通する参照記号と共に、本書に記載された特定の構成部品、態様又は特徴を表すために参照ラベル及び／又は記号を図面に使用する。
【発明を実施するための形態】
【００１２】
図１はフレーム１０上に支持された第１の実施形態のエクササイズバー取り付け具１００の斜視図である。一実施形態では、エクササイズバー取り付け具１００はユーザーがエクササイズを行うのを助けることができる一対のバー１０１を備える。フレーム１０は特に又は必ずしも本発明の一部ではないが、特許請求の範囲には含まれており、フレーム１０はフレーム取り付け具１００に支持を提供する。従ってエクササイズバー取り付け具１００の使用について説明するために以下の記述を行う。
【００１３】
例示目的として、図１は、ヘッダー１１を地面Ｇから高さＨで支える二対の部材１３及び１５を備えたフレーム１０を示している。部材１３及び１５は、地面Ｇの上で分離幅Ｗまで伸ばして、夾角Θを持つようにヘッダー１１のところで接続されている状態で示されている。部材１３及び１５の各対は同一平面内で非平行となっており、地面Ｇ上に“Ａ-フレーム”の脚を形成する。部材１３及び／又は１５には、図示されていないが、前記部材を接続するための追加の水平部品があってもよい。
【００１４】
一般的に、フレーム１０は堅い部品で構成されている。よって、例えば、ヘッダー１１、部材１３及び１５はスチール製パイプ、アルミニウム製パイプ、又はチューブで形成してもよいが、これらに限定するものではなく、またそれらは、例えば、円形、正方形、三角形、又は長方形断面形状を持っていてもよいが、これらに限定するものではない。フレーム１０の個々の構成部品は、溶接、ネジ止め、ブラケットによる固定、又は構成部品を取り付ける方法として知られているその他の方法で接合してもよい。
【００１５】
従って、例えば、フレーム１０の高さＨは７フィート(２．１３ｍ)以上であってもよいが、これに限定するものではなく、例えば、約７フィート(２．１３ｍ)、約７．２５フィート(２．２１ｍ)、約７．５フィート(２．２９ｍ)、約７．７５フィート(２．３６ｍ)、約８フィート(２．４４ｍ)、約８．２５フィート(２．５１ｍ)、約８．５フィート(２．５９ｍ)、約８．７５フィート(２．６７ｍ)、又は約９フィート(２．７４ｍ)であってもよいが、これらに限定するものではない。フレーム１０の幅Ｗは、例えば、約７フィート(２．１３ｍ)以上であってもよいが、これに限定するものではなく、また、例えば、約７フィート(２．１３ｍ)、約７．２５フィート(２．２１ｍ)、約７．５フィート(２．２９ｍ)、約７．７５フィート(２．３６ｍ)、約８フィート(２．４４ｍ)、約８．２５フィート(２．５１ｍ)、約８．５フィート(２．５９ｍ)、約８．７５フィート(２．６７ｍ)、又は約９フィート(２．７４ｍ)であってもよい。よって、角度Θは約４３−約６５度としてもよい。
【００１６】
部材１３又は１５を説明するための例として、図２Ａは正方形の横断面を持つ部材の図１の２−２断面図である。図２Ｂは長方形の横断面を持つ部材の図１の２−２断面図である。図２Ｃは円形の横断面を持つ部材の図１の２−２断面図である。この後の検討では、実例として、円形の横断面を持つ部材１３又は１５について説明している。以降に記載のとおり、図２Ｂ又は２Ｃの形状を含むがこれらに限定されない、その他の横断面形状を持つ部材１３又は１５に取り付けるように構成されたエクササイズバー取り付け具１００は本発明の範囲内である。
【００１７】
後で実例として説明される一実施形態では、図２Ａに示す部材１３又は１５は、例えば、一辺Ｓが約２インチ(５１ｍｍ)、約２．５インチ(６４ｍｍ)、約２．７５インチ(７０ｍｍ)、約３インチ(７６ｍｍ)、約３．２５インチ(８３ｍｍ)、約３．５０インチ(８９ｍｍ)、約３．７５インチ(９５ｍｍ)、又は約４インチ(１０２ｍｍ)の正方形の外形を有しているが、これらに限定するものではない。一実施形態では、一辺Ｓは約(３＋３／８)インチ(８６ｍｍ)である。
【００１８】
図１に示すように、エクササイズバー取り付け具１００は、バー１０５に取り付けられ、距離Ｗ１で離隔されたブラケット１０３を備えている。一般的に、ブラケット１０３は一対の部材１３の形状と角度にはまるように作られており、それはフレーム１０の一部であってもなくてもよい。ブラケット１０３は、例えば、バー１０１を地面ＧからＨ１の高さで支持するように部材１３を係合しているが、これに限定するものではない。バー１０１はそれぞれの長さがＬ、バーの間隔がＢとなっており、エクササイズバー取り付け具１００からほぼ水平に離れて突き出ており、よって、フレーム１０の地面Ｇからの高さはＨ１となる。一実施形態では、ブラケット１０３が部材１３を係合する際に、バー１０１が、例えば、懸垂ステーション又はディップステーションのために前記バーを使用するユーザーの体重を支えることができるように、フレーム１０及びエクササイズバー取り付け具１００を構成してもよいが、これに限定するものではない。(以降に記載のとおり)
【００１９】
一般的に、エクササイズバー取り付け具１００は堅い部品で構成されている。よって、例えば、エクササイズバー取り付け具１００は、スチール製パイプ、アルミニウム製パイプ、又はチューブで形成してもよいが、これに限定されるものではなく、またそれらは、例えば、円形、正方形、三角形、又は長方形断面形状を持っていてもよいが、これに限定されるものではない。エクササイズバー取り付け具１００の個々の構成部品は、溶接、ネジ止め、又は構成部品を取り付ける方法として知られているその他の方法で接合してもよい。また、バー１０１の握り部分などの特定の構成部品はパッド３１３を含んでもよい。バー１０１はまた、バーの端を封鎖するためにエンドキャップ又はプラグを備えてもよい。
【００２０】
図３〜図８は第２の実施形態のエクササイズバー取り付け具３００を示す図であり、図３は上正面の斜視図、図４は図３の４−４正面図、図５は図４の５−５上面図、図６は図４の６−６側面図、図７は図３の７−７背面図、図８は図４の８−８底面図を表している。エクササイズバー取り付け具３００は、下記に詳述されている場合を除き、エクササイズバー取り付け具１００と概ね同様であってもよい。可能な限り、同様の要素は、図１〜図８の実施形態の描写内の同一の参照番号で識別される。第２の実施形態のエクササイズバー取り付け具３００は、例えば、部材１３の角度及び断面形状に適合するように構成されているが、これに限定されるものではない。図４に示すように、エクササイズバー取り付け具３００はバー１０５及び前記バーに固定して取り付けられた一対のブラケット１０３を備えている。ブラケット１０３のそれぞれにはバーから離れて突き出たサイドフランジ３０１及び前記サイドフランジに取り付けられたバックフランジ３０３が備わっている。バー１０５及びフランジ３０１と３０３のそれぞれの対には開口部３０５があり、そこから部材１３をはめ込むことができる。具体的には、図７に示すように、バー１０５には表面７０１があり、図３及び８に示すように、フランジ３０１には表面３０９があり、また図３及び４に示すように、フランジ３０３には表面３０７があり、表面７０１、３０７及び３０９は開口部３０５を通じてアクセスできる面を形成する。
【００２１】
前記バー１０１のそれぞれの対には、金属製の円筒状の構成部品３１１があり、これはバー又はチューブであってもよいが、反対側にブラケット１０３を備えたバー１０５から離れる方向に突き出ている。構成部品３１１の外部表面に任意の柔らかなパット材３１３を付けてもよい。
【００２２】
図５に示すように、フランジ３０１には夾角Θ度になっている平面があり、図５に示すように、フランジ３０３とバー１０５の距離はＡであるが、距離Ａは一辺Ｓよりわずかに大きい。一実施例として、発明の範囲を限定する目的ではなく、３インチ(７６ｍｍ)の長さＳに対して、(３＋３／８)インチ(８６ｍｍ)の長さＡはフレーム１０にエクササイズバー取り付け具３００を取り付けたり、取り外したりするために十分な間隔を提供する。これにより、ブラケット１０３は前記一対の部材１３に適合し、バー１０１で人を支えることができる。表面７１０、３０７、及び／又は３０９には部材１３に接触する部分に保護塗装を施してもよい。
【００２３】
ある複数の実施形態では、バー１０１を懸垂やディップ運動に使用することができる。そのための寸法Ｂ及びＬは、例えば、以下の値であってもよいが、これに限定するものではない。具体的に、Ｂは約１２インチ(０．３ｍ)から約２４インチ(０．６ｍ)とすることができる。他の複数の実施形態において、Ｂは約１３インチ(０．３３ｍ)、約１４インチ(０．３６ｍ)、約１５インチ(０．３８ｍ)、約１６インチ(０．４１ｍ)又は約１７インチ(０．４３ｍ)である。ある実施形態では、Ｌは約１２インチ(０．３ｍ)から約２４インチ(０．６ｍ)である。他の複数の実施形態では、Ｌは約１４インチ(０．３６ｍ)、約１５インチ(０．３８ｍ)、約１６インチ(０．４１ｍ)、約１６．５インチ(０．４２ｍ)、約１７インチ(０．４３ｍ)、又は約１８インチ(０．４６ｍ)である。
【００２４】
バーＢは、パッドも含め、直径が約１インチ(２５ｍｍ)から約２インチ(５１ｍｍ)であってもよく、例えば、約１インチ(２５ｍｍ)、約１．２５インチ(３２ｍｍ)、約１．５インチ(３８ｍｍ)、約１．７５インチ(４４ｍｍ)、又は約２インチ(５１ｍｍ)であってもよいが、これらに限定するものではない。
【００２５】
図９は、第３の実施形態のエクササイズバー取り付け具９００を示す斜視図である。エクササイズバー取り付け具９００をフレーム１０に取り付けることができるが、代わりに、図９に示すように、壁Ｗに取り付けることができる部材１３と同じ断面寸法及び夾角を持つ一対の部材９０１に取り付けることもできる。エクササイズバー取り付け具９００は、下記に詳述されている場合を除き、エクササイズバー１００又は３００と概ね同様であってもよい。可能な限り、同様の要素は、図１〜図９の実施形態の描写内の同一の参照番号で識別される。
【００２６】
第３の実施形態のエクササイズバー取り付け具９００は、第２の実施形態のエクササイズバー取り付け具のブラケット１０３の間隔Ｗ２が第１の実施形態のエクササイズバー取り付け具の間隔Ｗ1より大きいことを除いては、実施形態のエクササイズバー取り付け具１００又は３００と概ね同様である。
【００２７】
間隔をより広くすることにより、エクササイズバー取り付け具９００を、地面Ｇからの高さがエクササイズバー取り付け具１００又は３００とは異なった位置に取り付けることができる。これにより、例えば、エクササイズバー取り付け具９００をフレーム１０の部材１３又は１５に取り付ける場合、部材１３及び１５は地面Ｇから離れるに従って互いの方向に向かって傾いているので、エクササイズバー取り付け具９００は部材１３を地面Ｇからの高さＨ２の位置で係合する。高さＨ２は、エクササイズバー取り付け具１００又は３００の高さＨ１に満たない。よって、エクササイズバー取り付け具９００は、高さＨ２、例えば３．５フィート(１．１ｍ)の高さで、ディップステーション用にバー１０１を設置することができる。
【００２８】
図１０Ａ〜図１０Ｆは、フレーム１０の部材１３へのエクササイズバー取り付け具１００又は９００の取り付けを示したものであり、図１０Ａ及び１０ＢはユーザーＵがフレームに向かってエクササイズバー取り付け具１００又は９００を近づけている様子を表しており、図１０Ｃ、１０Ｄ及び１０Ｅはユーザーがエクササイズバー取り付け具１００又は９００をフレームに係合している様子を表しており、また図１０Ｆはユーザーがエクササイズバー取り付け具１００又は９００をフレームに固定している様子を表している。
【００２９】
より具体的には、図１０ＡはユーザーＵがエクササイズバー取り付け具１００又は９００を持ち上げている様子を示している。個々の部材１３は地面から離れるほど互いの距離が近くなるので、図１０Ｂはユーザーがエクササイズバー取り付け具１００又は９００の係合位置より高い位置で部材１３に向かってブラケット１０３を巧みに操作している様子を示している。
【００３０】
図１０Ｃ及び１０Ｄは部材１３の外側部分上のサイドフランジ３０１と共に、部材１３の裏側でバックフランジ３０３が操作される様子を異なる角度から示した図である。図１０ＥはユーザーＵが部材１３に取り付けたエクササイズバー取り付け具１００又は９００の位置を低くしている様子を示し、図１０Ｆはユーザーがエクササイズバー取り付け具１００を部材１３に固定するためにバー１０１を引き下げている様子を示している。これでエクササイズバー取り付け具１００又は９００のバー１０１はエクササイズに使用出来る状態になる。エクササイズバー取り付け具１００又は９００は、図１０Ａ〜図１０Ｆの逆の手順で取り外すことができる。
【代替実施形態】
【００３１】
図１１Ａ、１１Ｂは第１の代替実施形態のエクササイズバー取り付け具１１００を示したものであり、図１２、１３、１４Ａ及び１４Ｂは第２の代替実施形態のエクササイズバー取り付け具１２００を示したものである。エクササイズバー取り付け具１１００及び１２００は、以降に記載されているような要素又は特徴を有しており、またそれらは、エクササイズバー取り付け具１００、３００又は９００に含まれていてもよい。エクササイズバー取り付け具１１００又は１２００は、下記に詳細に記載されている場合を除き、エクササイズバー取り付け具１００、３００又は９００と概ね同様であってもよい。可能な限り、類似要素は、図１〜図１４の実施形態の描写内の同一の参照番号で識別される。
【００３２】
図１１Ａは、フレーム部材１１１３に取り付けられた第１の代替実施形態のエクササイズバー取り付け具１１００を示した斜視図であり、図１１Ｂは、第１の実施形態のエクササイズバー取り付け具の詳細を示した斜視図である。
【００３３】
図１１Ｂに示すように、エクササイズバー取り付け具１１００の各ブラケット１０３のサイドフランジ３０１には切り込み１１０１が入っている。エクササイズバー取り付け具１１００は、部材１３、１５、又は９０１を用いて使用することが出来る。また、図１１Ａは、部材１１１３を用いてエクササイズバー取り付け具１１００を使用する場合を示している。部材１１１３は部材１３と概ね同一であり、また部材１１１３の外側には突起部１１０３がある。突起部１１０３は、例えば、部材１１１３に溶接されたボルト又は短い金属片であってもよいが、これに限定するものではない。運動装置１１００が部材１１１３によって支えられる際、突起部１１０３が切り込み１１０１にはまるように、突起部１１０３を部材１１１３上に位置づける。突起部１１０３と切り込み１１０１との結合によりユーザーはより簡単かつ確実に部材１１１３へのエクササイズバー取り付け具の位置を特定することができる。また部材１１１３はフレーム１０の一部であってもよい。  
【００３４】
図１２は、エクササイズバー取り付け具１２００の斜視図であり、図１３はバー１０５に沿った１３−１３断面図である。エクササイズバー取り付け具３００に固定して取り付けられていた図３〜図８のブラケット１０３とは対照的に、エクササイズバー取り付け具１２００にはそれぞれバー延長部１２０１に回転自在に取り付けられる一対のヒンジブラケット１２０３が備わっている。これにより、エクササイズバー取り付け具１２００は、以降に記載のように、夾角範囲を持つ非平行部材に係合することができる。
【００３５】
各ヒンジブラケット１２０３にはヒンジピン１２１１を備えたヒンジ１２１０によってバー１０５を接続するバー延長部１２０１が備わっている。ヒンジピン１２１１は中心線Ｃを定め、中心線Ｃを軸として各ヒンジ１２１０は矢印Ｒが示すように回転することができる。各ヒンジブラケット１２０３にはバー延長部１２０１から突き出たサイドフランジ３０１及び前記サイドフランジに取り付けられたバックフランジ３０３も備わっており、部材１３などの部材との係合が可能となる。
【００３６】
図１４Ａ及び１４Ｂは、２つの異なる同一平面内の非平行部材１４１０及び１４２０上でのエクササイズバー取り付け具１２００の使用を図示した正面図であり、それぞれの部材は、本発明の範囲を限定するものではない。部材１４１０及び１４２０は異なる夾角を有することを除き、部材１３と概ね同様である。図１４Ａでは、部材１４１０は夾角ΘＡを有しており、各部材と水平方向との角度は９０−ΘＡ/２となる。また図１４Ｂでは、部材１４２０は夾角ΘＢを有しており、各部材と水平方向との角度は９０−ΘＢ/２となる。
【００３７】
図１４Ａと１４Ｂはまた、両方のヒンジピン１２１１まで垂直に伸びた参照線Ｄ、そしてヒンジピンに対して垂直で、バー延長部１２０１の一つに沿って伸びた参照線Ｅ及びＦを示している。
【００３８】
図１４Ａの実施例では、バー延長部１２０１はバー１０５が真っ直ぐに伸びたものである―すなわち、線Ｄ、Ｅ及びＦは同軸で、角度はαＡ＝０である。本実施形態では、ブラケット１２０３は、例えば部材１４１０が接する表面３０１によって部材１４１０を係合する。図１４Ｂの実施例では、部材１４２０は部材１４１０より大きい夾角を有しており、従って表面３０１が部材１４２０に接し、バー延長部１２０１はバー１０５に対しαＢの角度をなす。
【００３９】
このように、軸Ｃを軸とするある程度の回転角度を提供することにより、エクササイズバー取り付け具１２００は調整され、夾角範囲に取り付けることができることがわかる。１つの極端な例として、エクササイズバー取り付け具１２００は１８０度の夾角を有する２つのバー(または１つのバー)に取り付けることができる。もう１つの極端な例として、エクササイズバー取り付け具１２００は、数度といった非常に小さい夾角を有する、ほぼ平行の２つのバーに取り付けることができる。
【００４０】
本明細書全体を通して“一実施形態”又は“ある実施形態”への言及は、実施形態に関連して記載された特定の特性、構造又は特徴が少なくとも本発明の一実施形態に含まれていることを意味している。よって、本明細書中の様々な箇所で“一実施形態”又は“ある実施形態”という表現がされているが、必ずしもすべてが同じ実施形態について言及しているものではない。さらに、１つの又は複数の実施形態において、本開示から当業者に明白となるように適切な方法で特定の特性、構造又は特徴を組み合わせてもよい。よって、例えば１つの又は両方のブラケットには切り込み１１０１などの切り込みがあってもよいし、及び／またはヒンジ１２１０などのヒンジがあってもよい。
【００４１】
本明細書全体を通して、“comprising(具備する)”という用語は、“including(含有する)”、“containing(含む)”又は“characterized  by(特徴とする)”と同義とされ、包括的又は非限定的であり、追加の新規要素又は方法を除外しない。“Comprising(具備する)”は、指定された要素は必要不可欠であるが、他の要素を追加してもよく、記載の範囲内で構成概念を形成することができるという意味を持つ専門用語である。
【００４２】
同様に、当然のことながら、本発明の例示的な実施形態に関する上記の記載においては、開示を簡素化し、１つの又は複数の発明態様を理解しやすくするために、本発明の様々な特徴が単一の実施形態、図面、又はそれらに関する説明の中にまとめられている場合があることがわかるであろう。しかしながら、この開示方法は、特許請求の範囲に記載された発明には各請求項で明記されている以上の特徴が必要となるという意図を反映していると解釈すべきではない。むしろ、以下の特許請求の範囲に反映されているように、本発明態様は上記に開示されている単一の実施形態の特徴の全てにあるわけではない。従って、以下の特許請求の範囲は本明細書内に明確に組み入れられ、各請求項はそれ自体が別々の実施形態として成立する。
【図１】
0006009452.tif 000002
【図２Ａ】
0006009452.tif 000003
【図２Ｂ】
0006009452.tif 000004
【図２Ｃ】
0006009452.tif 000005
【図３】
0006009452.tif 000006
【図４】
0006009452.tif 000007
【図５】
0006009452.tif 000008
【図６】
0006009452.tif 000009
【図７】
0006009452.tif 000010
【図８】
0006009452.tif 000011
【図９】
0006009452.tif 000012
【図１０Ａ】
0006009452.tif 000013
【図１０Ｂ】
0006009452.tif 000014
【図１０Ｃ】
0006009452.tif 000015
【図１０Ｄ】
0006009452.tif 000016
【図１０Ｅ】
0006009452.tif 000017
【図１０Ｆ】
0006009452.tif 000018
【図１１Ａ】
0006009452.tif 000019
【図１１Ｂ】
0006009452.tif 000020
【図１２】
0006009452.tif 000021
【図１３】
0006009452.tif 000022
【図１４Ａ】
0006009452.tif 000023
【図１４Ｂ】
0006009452.tif 000024